(57)【特許請求の範囲】
【請求項１】
消臭液を吸収した吸水性樹脂粒状物を複数収納し、上部に開口部を有する容器と、この容器が置かれる容器台と、この容器台に対して立設し、前記容器の高さ方向の部位に当接して前記容器を支持する第１の支持部材と、前記容器台に対して立設し、前記容器に当接して前記容器を支持し、前記第１の支持部材に対向して設けられた第２の支持部材と、少なくとも、前記第１の支持部材を加熱する加熱部材と、この加熱部材の熱を立設した前記第１の支持部材を介して前記容器の高さ方向の部位に伝達して、前記吸水性樹脂粒状物に含まれる消臭液の蒸散を促進させることを特徴とする消臭装置。
【請求項２】
消臭液を吸収した吸水性樹脂粒状物を複数収納し、上部に開口部を有する複数の容器と、この複数の容器が置かれる容器台と、この容器台の略中央に立設し、一方の面で、前記複数の容器の内の一の容器の高さ方向の部位に当接して前記一の容器を支持すると共に、他方の面で、前記複数の容器の内の他の容器の高さ方向の部位に当接して前記他の容器を支持する第１の支持部材と、前記容器台に対して立設し、前記一の容器に当接して前記一の容器を支持し、前記第１の支持部材に対向して設けられ、前記容器台の一方の端部に位置する第２の支持部材と、前記容器台に対して立設し、前記他の容器に当接して前記他の容器を支持し、前記第１の支持部材に対向して設けられ、前記容器台の他方の端部に位置する第３の支持部材と、少なくとも、前記第１の支持部材を加熱する加熱部材と、この加熱部材の熱を立設した前記第１の支持部材を介して前記複数の容器の高さ方向の部位に伝達して、前記吸水性樹脂粒状物に含まれる消臭液の蒸散を促進させることを特徴とする消臭装置。
【請求項３】
加熱部材は、第１の支持部材に設けられたヒ−タ又は容器台に設けられたヒ−タの何れかであり、前記容器台に前記ヒ−タが設けられた場合、前記容器台の熱が伝達し、前記第１の支持部材を加熱することを特徴とする請求項１又は２記載の消臭装置。
【請求項４】
消臭液を吸収した吸水性樹脂粒状物を複数収納し、上部に開口部を有する容器と、この容器が収納されるように凹所に形成され、収納状態で前記容器の底面及び側面が前記凹所の内壁面に当接する容器台と、この容器台を加熱する加熱部材と、この加熱部材の熱を立設した第１の支持部材を介して前記容器の高さ方向の部位に伝達して、前記吸水性樹脂粒状物に含まれる消臭液の蒸散を促進させることを特徴とする消臭装置。
【請求項５】
消臭液を吸収した吸水性樹脂粒状物を複数収納し、上部に開口部を有する複数の容器と、この複数の容器が置かれる容器台と、この容器台の略中央に立設し、一方の面で、前記複数の容器の内の一の容器の高さ方向の部位に当接して前記一の容器を支持すると共に、他方の面で、前記複数の容器の内の他の容器の高さ方向の部位に当接して前記他の容器を支持する第１の支持部材と、前記容器台に対して立設し、前記一の容器に当接して前記一の容器を支持し、前記第１の支持部材に対向して設けられ、前記容器台の一方の端部に位置する第２の支持部材と、前記容器台に対して立設し、前記他の容器に当接して前記他の容器を支持し、前記第１の支持部材に対向して設けられ、前記容器台の他方の端部に位置する第３の支持部材と、少なくとも、前記第１の支持部材を加熱する加熱部材とを備え、前記一の容器内の前記吸水性樹脂粒状物の量と前記他の容器の前記吸水性樹脂粒状物の量とを異なるようにして、前記加熱部材の熱を立設した前記第１の支持部材を介して前記複数の容器の高さ方向の部位に伝達して、前記吸水性樹脂粒状物に含まれる消臭液の蒸散を促進させると共に、均一化させることを特徴とする消臭方法。
【発明の詳細な説明】
【０００１】
本発明は、消臭装置及び消臭方法に係り、特に、消臭液の蒸散を促進させることができる消臭装置及び消臭方法に関する。
【０００２】
【従来の技術と発明が解決しようとする課題】
従来、容器に消臭液を吸収した吸水性樹脂粒状物を複数収納した消臭装置にあっては、容器の下部をヒ−タ−により加熱して、消臭効果を促進させるようにしている。
しかしながら、ヒ−タ−により加熱した割りには、消臭効果が促進されないという問題点が生じた。
これは、吸水性樹脂粒状物自身の熱伝達率が悪いこと、吸水性樹脂粒状物と吸水性樹脂粒状物との間に空気が介在すること等により、熱の伝達がうまく行なわれず、蒸散に寄与する上位の吸水性樹脂粒状物にヒ−タ−による熱が伝達されないことによるものである。
従って、本発明は、上述した問題点を除去するようにした消臭装置及び消臭方法を提供するものである。
【０００３】
【課題を解決するための手段】
上記目的を達成するために、請求項１記載の消臭装置は、消臭液を吸収した吸水性樹脂粒状物を複数収納し、上部に開口部を有する容器と、この容器が置かれる容器台と、この容器台に対して立設し、前記容器の高さ方向の部位に当接して前記容器を支持する第１の支持部材と、前記容器台に対して立設し、前記容器に当接して前記容器を支持し、前記第１の支持部材に対向して設けられた第２の支持部材と、少なくとも、前記第１の支持部材を加熱する加熱部材と、この加熱部材の熱を立設した前記第１の支持部材を介して前記容器の高さ方向の部位に伝達して、前記吸水性樹脂粒状物に含まれる消臭液の蒸散を促進させるものである。
【０００４】
また、請求項２記載の消臭装置は、消臭液を吸収した吸水性樹脂粒状物を複数収納し、上部に開口部を有する複数の容器と、この複数の容器が置かれる容器台と、この容器台の略中央に立設し、一方の面で、前記複数の容器の内の一の容器の高さ方向の部位に当接して前記一の容器を支持すると共に、他方の面で、前記複数の容器の内の他の容器の高さ方向の部位に当接して前記他の容器を支持する第１の支持部材と、前記容器台に対して立設し、前記一の容器に当接して前記一の容器を支持し、前記第１の支持部材に対向して設けられ、前記容器台の一方の端部に位置する第２の支持部材と、前記容器台に対して立設し、前記他の容器に当接して前記他の容器を支持し、前記第１の支持部材に対向して設けられ、前記容器台の他方の端部に位置する第３の支持部材と、少なくとも、前記第１の支持部材を加熱する加熱部材と、この加熱部材の熱を立設した前記第１の支持部材を介して前記複数の容器の高さ方向の部位に伝達して、前記吸水性樹脂粒状物に含まれる消臭液の蒸散を促進させるものである。
【０００５】
また、請求項３記載の消臭装置は、請求項１又は２記載の消臭装置において、加熱部材は、第１の支持部材に設けられたヒ−タ又は容器台に設けられたヒ−タの何れかであり、前記容器台に前記ヒ−タが設けられた場合、前記容器台の熱が伝達し、前記第１の支持部材を加熱するものである。
【０００６】
また、請求項４記載の消臭装置は、消臭液を吸収した吸水性樹脂粒状物を複数収納し、上部に開口部を有する容器と、この容器が収納されるように凹所に形成され、収納状態で前記容器の底面及び側面が前記凹所の内壁面に当接する容器台と、この容器台を加熱する加熱部材と、この加熱部材の熱を立設した第１の支持部材を介して前記容器の高さ方向の部位に伝達して、前記吸水性樹脂粒状物に含まれる消臭液の蒸散を促進させるものである。
【０００７】
また、請求項５記載の消臭方法は、消臭液を吸収した吸水性樹脂粒状物を複数収納し、上部に開口部を有する複数の容器と、この複数の容器が置かれる容器台と、この容器台の略中央に立設し、一方の面で、前記複数の容器の内の一の容器の高さ方向の部位に当接して前記一の容器を支持すると共に、他方の面で、前記複数の容器の内の他の容器の高さ方向の部位に当接して前記他の容器を支持する第１の支持部材と、前記容器台に対して立設し、前記一の容器に当接して前記一の容器を支持し、前記第１の支持部材に対向して設けられ、前記容器台の一方の端部に位置する第２の支持部材と、前記容器台に対して立設し、前記他の容器に当接して前記他の容器を支持し、前記第１の支持部材に対向して設けられ、前記容器台の他方の端部に位置する第３の支持部材と、少なくとも、前記第１の支持部材を加熱する加熱部材とを備え、前記一の容器内の前記吸水性樹脂粒状物の量と前記他の容器の前記吸水性樹脂粒状物の量とを異なるようにして、前記加熱部材の熱を立設した前記第１の支持部材を介して前記複数の容器の高さ方向の部位に伝達して、前記吸水性樹脂粒状物に含まれる消臭液の蒸散を促進させると共に、均一化させるものである。
【実施例】
本発明の一実施例の消臭装置及び消臭方法を図面を参照して説明する。
図１乃至図４において、１は消臭装置で、消臭装置１は、容器２と、この容器２が置かれる容器台３とから概略的に構成されている。
【０００８】
容器２は、例えば、プラスチックの透明な容器で、消臭液を吸収した吸水性樹脂粒状物４（吸水性樹脂粒状物４は、言い換えれば、吸水性ポリマ−に消臭液剤を含浸させた消臭剤）を複数収納すると共に、上部に開口部２ａを有し、消臭装置１は、複数（本実施例では、２個）の容器２を設けるようにしている。
そして、図４に示すように、容器２の内、一の容器２1 は略円柱形状で、他の容器２2 略角柱形状となっている。
【０００９】
５は、容器台３の略中央に立設し、容器２に当接して容器２を支持する第１の支持部材で、６は、容器台３に対して立設（立った状態で設けること）し、容器２（例えば、一の容器２1 ）に当接して容器２（例えば、一の容器２1 ）を支持し、第１の支持部材５に対向して設けられ、容器台３の一方の端部３Ａに位置する第２の支持部材である。
【００１０】
７は、第１の支持部材５を加熱する加熱部材で、例えば、ヒ−タ−で、第１の支持部材５に設けられ、より詳しくは、第１の支持部材５内に設けられ、熱伝導により、第１の支持部材５を加熱するようになっている。
【００１１】
また、８は、容器台３に対して立設し、容器２（例えば、他の容器２2 ）に当接して容器２（例えば、他の容器２2 ）を支持し、第１の支持部材５に対向して設けられ、容器台３の他方の端部３Ｂに位置する第３の支持部材である。
また、第２の支持部材６及び第３の支持部材８は弾性を有し、該弾性は容器２を第１の支持部材５に対して押え付ける方向に作用するようになっている。
そして、容器台３に置かれた容器２（例えば、一の容器２1 ）は、第１の支持部材５と第２の支持部材６により挟持（挟んだ状態に支持すること）され、また、容器台３に置かれた容器２（例えば、他の容器２2 ）は、第１の支持部材５と第３の支持部材８により挟持（挟んだ状態に支持すること）される。
【００１２】
従って、上述した消臭装置１においては、加熱部材７に通電されると、加熱部材７の熱を立設した第１の支持部材５を介して容器２（容器２1 、容器２2 ）の高さ方向の部位に伝達して、吸水性樹脂粒状物４に含まれる消臭液の蒸散を促進させることができる。
なお、容容器台３の略中央に立設した第１の支持部材５は、一方の面で、複数の容器２の内の一の容器２1 の高さ方向の部位に当接して一の容器２1 を支持すると共に、他方の面で、複数の容器２の内の他の容器２2 の高さ方向の部位に当接して他の容器２2 を支持している。
【００１３】
その結果、従来、消臭液を吸収した吸水性樹脂粒状物を複数収納する容器の下部より熱を伝達しても、吸水性樹脂粒状物自身の熱伝達率が悪いこと、吸水性樹脂粒状物と吸水性樹脂粒状物との間に空気が介在すること等により、熱の伝達がうまく行なわれず、該熱が蒸散する上位の吸水性樹脂粒状物に伝わらず消臭効果が良くないが、
この消臭装置１によれば、加熱部材７の熱を立設した第１の支持部材５を介して容器２（容器２1 、容器２2 ）の高さ方向の部位に伝達して、熱を蒸散する上位の吸水性樹脂粒状物４に伝達させて消臭効果を良好とすることができ、しかも、経時的に吸水性樹脂粒状物４内の消臭液の蒸散により吸水性樹脂粒状物４の上面が下降していくが、加熱部材７の熱を立設した第１の支持部材５を介して容器２（容器２1 、容器２2 ）の高さ方向の部位に伝達するため、追随して蒸散する上位の吸水性樹脂粒状物４に熱を伝達させることができる。
【００１４】
なお、特に、図３に示すように、一の容器２1 内の吸水性樹脂粒状物４の量と他の容器２2 の吸水性樹脂粒状物４の量とを異なるようにして、加熱部材７の熱を立設した第１の支持部材５を介して一の容器２1 及び他の容器２2 の高さ方向の部位に伝達して、吸水性樹脂粒状物４に含まれる消臭液の蒸散を促進させると共に、均一化させることができる。
そして、消臭液を吸収した吸水性樹脂粒状物４の消臭液の蒸散は、当初は多いが、時間の経過に伴って極端に低下していくため、一の容器２1 内の吸水性樹脂粒状物４の量と他の容器２2 の吸水性樹脂粒状物４の量とを異なるようにする上述した消臭方法（つまり、容器２1 と容器２2 と交互に消臭液を吸収した吸水性樹脂粒状物４を交換すること）は特に有効である。
【００１５】
なお、図１乃至図４においては、加熱部材７は第１の支持部材５内に設けたが、本願発明にあっては、これに限らず、図５及び図６に示すように、加熱部材７（例えば、ヒ−タ−）を容器台３（容器台３の内部又は容器台３の裏面等）に設け、容器台３の熱を第１の支持部材５に伝達し、第１の支持部材５を加熱するようにしても良い。
要するに、本願発明の加熱部材７は、直接、間接にかかわらず、少なくとも、第１の支持部材５を加熱すれば良い。
【００１６】
なお、上述した実施例の消臭装置１においては、電源コ−ド９を設けるようにしたが、本願発明にあっては、これに限らず、図７に示すように、電源コ−ドを設けず、容器台３の裏面にプラグ10を設けても良い。
【００１７】
また、上述した実施例の消臭装置１においては、容器台３を支持する第１の支持部材５、第２の支持部材６及び第３の支持部材８と設けたが、本願発明にあっては、これに限らず、消臭装置１は、図８に示すように、消臭液を吸収した吸水性樹脂粒状物を複数収納し、上部に開口部２ａを有する容器２と、この容器２が収納されるように凹所100 ａに形成され、収納状態で容器２の底面２ｂ及び側面２ｃが凹所100 ａの内壁面に当接する容器台100 と、この容器台100 を加熱する加熱部材（図示しないが、ヒ−タ−）とを備え、前記した加熱部材（図示しないが、ヒ−タ−）の熱を立設した凹所100 ａの内壁面を介して容器２の高さ方向の部位に伝達して、吸水性樹脂粒状物に含まれる消臭液の蒸散を促進させるようにしても良い。
【００１８】
この実施例の消臭装置１によれば、上述した実施例の消臭装置１に比べ、容器２の底面２ｂ及び側面２ｃが容器台100 の凹所100 ａの内壁面に当接する部分が多い分、前記した加熱部材（図示しないが、ヒ−タ−）の熱を立設した凹所100 ａの内壁面を介して容器２の高さ方向の部位により多く伝達でき、吸水性樹脂粒状物に含まれる消臭液の蒸散をより促進させることができる。
【００１９】
【発明の効果】
従来、消臭液を吸収した吸水性樹脂粒状物を複数収納する容器の下部より熱を伝達しても、吸水性樹脂粒状物自身の熱伝達率が悪いこと、吸水性樹脂粒状物と吸水性樹脂粒状物との間に空気が介在すること等により、熱の伝達がうまく行なわれず、該熱が蒸散する上位の吸水性樹脂粒状物に伝わらず消臭効果が良くないが、請求項１記載の消臭装置によれば、加熱部材の熱を立設した第１の支持部材を介して容器の高さ方向の部位に伝達して、熱を蒸散する上位の吸水性樹脂粒状物に伝達させて消臭効果を良好とすることができる。
【００２０】
また、請求項２記載の消臭装置によれば、一の容器を第１の支持部材の一方の面と第２の支持部材で、他の容器を第１の支持部材の他方の面と第３の支持部材で挟持して支持すると共に、加熱部材の熱を立設した第１の支持部材を介して複数の容器の高さ方向の部位に伝達して、熱を蒸散する上位の吸水性樹脂粒状物に伝達させて消臭効果を良好とすることができる。
【００２１】
また、請求項４記載の消臭装置によれば、加熱部材の熱を容器台の立設した凹所の内壁面を介して容器の高さ方向の部位に伝達して、熱を蒸散する上位の吸水性樹脂粒状物に伝達させて消臭効果を良好とすることができる。
【００２２】
また、請求項５記載の消臭方法によれば、前述した請求項２記載の発明の効果に加え、一の容器内の吸水性樹脂粒状物の量と他の容器の吸水性樹脂粒状物の量とを異なるようにして、加熱部材の熱を立設した第１の支持部材を介して複数の容器の高さ方向の部位に伝達するようにしたため、一の容器内の吸水性樹脂粒状物の量と他の容器の吸水性樹脂粒状物の量とを同じとしたものと比べ、吸水性樹脂粒状物に含まれる消臭液の蒸散を均一化させることができる。
【図面の簡単な説明】
【図１】図１は、本発明の一実施例の消臭装置の概略的斜視図である。
【図２】図２は、図１の概略的断面図である。
【図３】図３は、図１の消臭装置の使用状態の概略的断面図である。
【図４】図４は、図３の概略的平面図である。
【図５】図５は、図１と異なる他の実施例の消臭装置の概略的斜視図である。
【図６】図６は、図５の概略的断面図である。
【図７】図７は、図５と異なる他の実施例の消臭装置の概略的斜視図である。
【図８】図８は、図７と異なる他の実施例の消臭装置の概略的斜視図である。
【符号の説明】
１            消臭装置
２            容器                                                    ２ａ          開口部
３            容器台
４            吸水性樹脂粒状物
５            第１の支持部材
６            第２の支持部材
７            加熱部材
【図１】
0003898529.tif 000002
【図２】
0003898529.tif 000003
【図３】
0003898529.tif 000004
【図４】
0003898529.tif 000005
【図５】
0003898529.tif 000006
【図６】
0003898529.tif 000007
【図７】
0003898529.tif 000008
【図８】
0003898529.tif 000009